(57)【要約】【課題】結露の発生を抑制するための追加の部品を備えずに、結露の発生を抑制する。【解決手段】映像が視聴されておらず、かつ、筐体（６０）外の湿度が低い場合、換気制御部（５０ｉｉ）は、ＬＥＤバックライト（３０）を発光させて筐体（６０）内の空気を膨張させた後、ＬＥＤバックライト（３０）を消灯して上記空気を収縮させることにより、通気部（８０）を介して、筐体（６０）内の空気を入れ換える。【選択図】図１
2016080988.tif 000002
【特許請求の範囲】
【請求項１】
筐体内に光源を備えた表示装置であって、
上記筐体内と上記筐体外とを接続する空気の通路である通気部と、
上記光源が映像を表示するために使用されておらず、かつ、上記筐体外の湿度が上記筐体内の湿度よりも低い場合、上記光源を発光させることと、上記光源を消灯させることとを交互に実施する光源制御部と、を備えた
ことを特徴とする表示装置。
【請求項２】
上記光源制御部は、所定時間が経過するごとに、上記光源を発光させることと、消灯させることとを切り換える
ことを特徴とする請求項１に記載の表示装置。
【請求項３】
上記光源制御部は、上記筐体内の気温が一定になるごとに、上記光源を発光させることと、消灯させることとを切り換える
ことを特徴とする請求項１に記載の表示装置。
【請求項４】
複数の上記通気部を備えている
ことを特徴とする請求項１から３のいずれか１項に記載の表示装置。
【請求項５】
上記筐体内の空気を上記通気部に向けて圧送する送風機をさらに備えた
ことを特徴とする請求項１から４のいずれか１項に記載の表示装置。
【請求項６】
上記筐体外の湿度が上記筐体内の湿度よりも高い場合、上記通気部を通過しようとする空気の流れを遮断する遮断部をさらに備えた
ことを特徴とする請求項１から５のいずれか１項に記載の表示装置。
【請求項７】
請求項１に記載の表示装置が備えるコンピュータを機能させるための制御プログラムであって、上記コンピュータを上記光源制御部として機能させるための制御プログラム。
【請求項８】
請求項７に記載の制御プログラムを記録したコンピュータ読み取り可能な記録媒体。
【発明の詳細な説明】
【技術分野】
【０００１】
本発明は、浴室内で使用される表示装置、制御プログラム、および記録媒体に関する。
【背景技術】
【０００２】
従来、浴室内で使用される表示装置が存在する。その一例は、ユーザが浴室内でテレビ番組を視聴するために使用されるテレビジョン受信機（以下、浴室用テレビと略称する）である。浴室用テレビの筐体には、映像を表示するデバイスが収容されている。このデバイスが表示する映像をユーザが見ることができるように、筐体の前面（浴室用テレビの表示面側の面）には、大きな開口が設けられている。筐体の開口から筐体内に、水蒸気や水滴が滲入しないよう、筐体の開口は透明板で覆われた上、筐体と透明板との間隙は封止される。
【０００３】
浴室用テレビが組み立てられるとき、筐体は、まだ透明板で覆われていないので、水蒸気を含んだ空気が筐体内に流入する。そのため、筐体の開口が透明板で覆われた後、筐体内の空気には水蒸気が含まれている。従って、筐体外（浴室内）の気温が筐体内の気温よりも低い場合、透明板の近傍における筐体内の空気が、筐体外の空気に冷却されることによって、透明板上に結露が発生する場合がある。
【０００４】
筐体内の空気と筐体外の空気との間に気温差がなくなった後、透明板上に発生した結露は徐々に消滅するが、ユーザが入浴中には結露が消滅しきらない場合もある。この場合、ユーザは、透明板を介して、歪んだ映像を見続けなければならない。
【先行技術文献】
【特許文献】
【０００５】
【特許文献１】特開２００８−２３９０１７号公報（２００８年１０月９日公開）
【発明の概要】
【発明が解決しようとする課題】
【０００６】
湿度の低い環境下で、浴室用テレビを組み立てた場合、浴室用テレビが組み立てられる間に筐体内に流入する水蒸気量が低減される。しかしながら、浴室用テレビの筐体は、修理などの目的で、浴室内で開封される場合がある。この場合、水蒸気を多く含んだ浴室内の空気が筐体内に流入するので、結局、透明板上に結露が発生するようになる。
【０００７】
また、筐体内の空気に水蒸気が含まれていても、透明板上に結露が発生しないように、２枚の透明板を重ね合せたり、ヒータによって透明板を加熱したり、透明板に結露防止用フィルムを貼付したりする解決策が考えられる。
【０００８】
しかしながら、上記の解決策は、結露の発生を抑制するために追加された部品（２枚目の透明板、ヒータ、結露防止用フィルムなど）が、浴室用テレビのコストを増大させるという問題がある。
【０００９】
本発明は、上記に鑑みてなされたものであり、その目的は、結露の発生を抑制するための追加の部品を備えず、かつ、筐体内に水蒸気を含んだ空気が流入した場合であっても、結露の発生を抑制することができる表示装置を提供することにある。
【課題を解決するための手段】
【００１０】
上記の課題を解決するために、本発明の一態様に係る表示装置は、筐体内に光源を備えた表示装置であって、上記筐体内と上記筐体外とを接続する空気の通路である通気部と、上記光源が映像を表示するために使用されておらず、かつ、上記筐体外の湿度が上記筐体内の湿度よりも低い場合、上記光源を発光させることと、上記光源を消灯させることとを交互に実施する光源制御部と、を備えている。
【発明の効果】
【００１１】
本発明の一態様によれば、結露の発生を抑制するための追加の部品を備えず、かつ、筐体内に水蒸気を含んだ空気が流入した場合であっても、結露の発生を抑制することができる。
【図面の簡単な説明】
【００１２】
【図１】実施形態１に係る浴室用テレビジョン受像機の構成を示す概略図である。
【図２】実施形態１に係る浴室用テレビジョン受像機が備えた換気制御部の構成を示すブロック図である。
【図３】実施形態１に係る浴室用テレビジョン受像機が備えた指示部が、バックライトの電源のオン・オフを切り換えるタイミングの一例を説明する図である。
【図４】実施形態１に係る浴室用テレビジョン受像機が備えた指示部が実行する換気処理の流れを示す説明図である。
【図５】実施形態１の変形例に係る指示部が、バックライトの電源のオン・オフを切り換えるタイミングを説明する図である。
【図６】実施形態２に係る浴室用テレビジョン受像機の構成を示す概略図であり、該浴室用テレビジョン受像機が備えた筐体内における空気の流れを示す図である。
【図７】実施形態２の変形例に係る浴室用テレビジョン受像機の構成を示す概略図であり、該浴室用テレビジョン受像機が備えた筐体内における空気の流れを示す図である。
【図８】（ａ）（ｂ）は、実施形態３に係る浴室用テレビジョン受像機の筐体に設けられた感湿シャッタの構成を示す概略図であり、（ａ）は、感湿シャッタが開いているときの空気の流れを示す図であり、（ｂ）は、感湿シャッタが閉じているときの空気の流れを示す図である。
【発明を実施するための形態】
【００１３】
〔実施形態１〕
以下、本発明の一実施形態について、図１〜図５を用いて、詳細に説明する。
【００１４】
（浴室用テレビジョン受像機１の構成）
図１を用いて、本実施形態に係る浴室用テレビジョン受像機１（表示装置）（以下では、浴室用テレビ１と略称する）の構成を説明する。図１は、浴室用テレビ１の構成を示す概略図である。なお、本発明は、浴室内で使用される表示装置、または、任意の装置が備えた表示部であれば、適用することができる。
【００１５】
図１に示すように、浴室用テレビ１は、内壁（すなわち浴室の壁）に設けられた貫通穴の中に固定されている。浴室用テレビ１の前面（すなわち表示面。透明板４０が配置された面）は、内壁から浴室内側に突き出ている。また、浴室用テレビ１の後面（すなわち透明板４０が配置された面と反対側の面）は、内壁から浴室外側（内壁と外壁との間）に突き出ている。
【００１６】
以下では、内壁と外壁との間の空気を、外気と呼ぶ。内壁と外壁との間の空気の温度および湿度は、通常、外壁の外側すなわち屋外の空気の温度および湿度と同じである。
【００１７】
図１に示すように、浴室用テレビ１は、液晶モジュール２０、ＬＥＤバックライト３０（光源）、透明板４０、回路基板５０、電源制御部５０ｉ（光源制御部）、換気制御部５０ｉｉ、筐体６０、電源７０、および通気部８０を備えている。
【００１８】
液晶モジュール２０、ＬＥＤバックライト３０、回路基板５０、電源制御部５０ｉ、換気制御部５０ｉｉ、および電源７０は、液晶表示装置を構成する。液晶表示装置を構成する部材は、筐体６０内に固定されている。透明板４０は、筐体６０の前面にある開口を覆っている。透明板４０と筐体６０とが接する部分には、封止材Ａによって、止水処理が施されている。
【００１９】
液晶モジュール２０は、ＬＥＤバックライト３０と、液晶表示素子（図示せず）とから構成されている。
【００２０】
ＬＥＤバックライト３０は、上記液晶表示装置の光源であるだけでなく、筐体６０内の空気を加熱するための熱源でもある。ＬＥＤバックライト３０は、液晶モジュール２０内であれば、どこに配置されていてもよい。しかしながら、冷たい空気ほど、筐体６０内の下側に集まり、温かい空気ほど、筐体６０内の上側に集まり易い。従って、筐体６０内の空気を効率的に加熱する観点から、熱源は、筐体６０内のできるだけ下側に配置されていることが望ましい。そこで、ＬＥＤバックライト３０は、液晶モジュール２０のできるだけ下側に配置されていることが望ましい。図１では、ＬＥＤバックライト３０は、矩形を有する液晶モジュール２０の底辺近傍に配置されている。
【００２１】
透明板４０は、例えばガラス板またはアクリル板であってよい。
【００２２】
回路基板５０上には、電源制御部５０ｉおよび換気制御部５０ｉｉとして機能するＣＰＵ（マイコン）が配置されている。電源制御部５０ｉは、電源７０を制御することによって、電源７０から浴室用テレビ１の各部に電力を提供する。換気制御部５０ｉｉは、筐体６０内を換気する換気処理を実行する。この換気処理の詳細については後述する。なお、電源制御部５０ｉとして機能するＣＰＵと、換気制御部５０ｉｉとして機能するＣＰＵとは、同じであってもよいし、別体であってもよい。
【００２３】
電源７０は、浴室用テレビ１の各部（ＬＥＤバックライト３０および上記ＣＰＵを含む）に電力を供給する。ＬＥＤバックライト３０は、電源７０から供給される電力によって発光する。また、回路基板５０上のＣＰＵは、電源７０から供給される電力によって、電源制御部５０ｉおよび換気制御部５０ｉｉとしての機能を実現するための処理を実行する。
【００２４】
通気部８０は、筐体６０の側面に設けられた穴である。通気部８０は、透湿防水膜８０ｉでおおわれている。透湿防水膜８０ｉは、水滴を通過させないが、筐体６０内から浴室外（筐体６０外）へ、またはその逆へ、空気および水蒸気を通過させる。従って、透湿防水膜８０ｉで覆われた通気部８０は、筐体内と浴室外とを接続する空気および水蒸気の通路である。
【００２５】
（換気制御部５０ｉｉの構成）
図２を用いて、換気制御部５０ｉｉの構成を説明する。図２は、換気制御部５０ｉｉの構成を示すブロック図である。図２に示すように、換気制御部５０ｉｉは、切り換え判定部５１および指示部５２（光源制御部）を含んでいる。
【００２６】
切り換え判定部５１は、ユーザが浴室用テレビ１でテレビ番組を視聴中であるか否かを判定する。具体的には、切り換え判定部５１は、上記液晶表示装置にテレビ番組の映像を表示するために、ＬＥＤバックライト３０が使用されているかどうかを判定する。
【００２７】
上記の判定を行うために、切り換え判定部５１は、直近のユーザ操作（最後のユーザ操作）が電源７０をオフにする操作（電源オフ操作）であったか否かを示す情報（番組視聴有無情報）を、電源制御部５０ｉから取得する。なお、ユーザが電源オフ操作を行った場合、電源７０からＬＥＤバックライト３０（あるいは液晶モジュール２０）への給電は停止される一方、電源７０から電源制御部５０ｉおよび換気制御部５０ｉｉへの給電は継続される。
【００２８】
直近のユーザ操作が電源オフ操作ではなかった場合、切り換え判定部５１は、ユーザがテレビ番組を視聴中であると判定する。また、直近のユーザ操作が電源オフ操作であった場合、切り換え判定部５１は、ユーザがテレビ番組を視聴中ではないと判定する。
【００２９】
ユーザがテレビ番組を視聴中ではない場合（すなわち、直近のユーザ操作が電源オフ操作であった場合）、切り換え判定部５１は、外気の湿度が低いかどうかを判定する。
【００３０】
具体的には、切り換え判定部５１は、インターネット等のネットワークから、現在の外気の湿度情報を含む天気情報を取得し、外気の湿度が所定の閾値以下である場合、外気の湿度が（筐体６０内の湿度よりも）低いと判定する。あるいは、浴室外に配置された温湿度センサ（図示せず）を用いて、外気の湿度を測定し、測定した外気の湿度が所定の閾値以下である場合、外気の湿度が低いと判定してもよい。または、切り換え判定部５１は、現在が日中（つまり、太陽が空に昇っている時間帯）であるかどうかを判定し、現在が日中である場合、外気の湿度が低いと判定してもよい。
【００３１】
切り換え判定部５１は、ユーザがテレビ番組を視聴中であるかどうかに関する判定結果、および、外気の湿度が低いかどうかに関する判定結果を、指示部５２に出力する。
【００３２】
指示部５２は、切り換え判定部５１から、ユーザがテレビ番組を視聴中でなく、かつ、外気の湿度が低いという判定結果を入力された場合、一定の時間が経過するごとに、電源７０からＬＥＤバックライト３０への給電・非給電を切り換えるように、電源制御部５０ｉに指示する。指示部５２からの指示に従って、電源制御部５０ｉは、電源７０からＬＥＤバックライト３０に給電することを開始するか、または給電することを停止する。
【００３３】
電源７０からの給電を受けている間、ＬＥＤバックライト３０は、発光するとともに熱を放出する。また、回路基板５０上に配置されたＣＰＵも、様々な演算処理を実行するとともに熱を放出する。これらの熱により、筐体６０内の気温は上昇する。そして、筐体６０内の気温が上昇すると、筐体６０内の空気は膨張する（あるいは、筐体６０内の気圧が上昇する）。そのため、筐体６０内の空気は、通気部８０を通過して、浴室外に排出される。なお、電源７０がＬＥＤバックライト３０に給電している間（すなわち、ＬＥＤバックライト３０が発光している間）、上記液晶表示装置は、黒画面を表示していてもよいし、「筐体６０内を換気しています」等のメッセージを表示していてもよい。
【００３４】
電源７０がＬＥＤバックライト３０に給電することを開始してから一定の時間が経過したとき、指示部５２からの指示に従って、電源制御部５０ｉは電源７０からＬＥＤバックライト３０への給電を停止する。すると、ＬＥＤバックライト３０は消灯する。このとき、筐体６０内の気温は、浴室外の気温よりも高くなっている。しかしながら、筐体６０内の空気の熱は、筐体６０や内壁を介して、浴室内または浴室外に放出される。そのため、筐体６０内の気温は（浴室外の気温まで）徐々に低下してゆき、筐体６０内の空気は収縮する（あるいは筐体６０内の気圧が低下する）。その結果、外気が、通気部８０を通過して、筐体６０内に流入する。
【００３５】
図３は、指示部５２が、換気処理において、電源７０からＬＥＤバックライト３０への給電・非給電を切り換える（ように、電源制御部５０ｉに指示する）タイミングの一例を説明する図である。図３に示すように、指示部５２は、（ｉ）電源７０からＬＥＤバックライト３０への給電を開始してから期間ｔ０が経過した後、電源７０からＬＥＤバックライト３０への給電を停止（ＬＥＤバックライト３０の電源をオフ）する処理と、（ｉｉ）電源７０からＬＥＤバックライト３０への給電を停止してから期間ｔ１が経過した後、電源７０からＬＥＤバックライト３０への給電を開始（ＬＥＤバックライト３０の電源をオン）する処理とを、交互に繰り返し実行してもよい。ここで、期間ｔ０および期間ｔ１は、その期間ｔ０および期間ｔ１で筐体６０内の空気が収縮および膨張し、筐体６０内が換気されるために、必要十分な時間であればよい。例えば、期間ｔ０および期間ｔ１は、どちらも１時間であってよい。
【００３６】
（換気処理の流れ）
図４を用いて、指示部５２によって実行される換気処理の流れを説明する。図４は、換気処理の流れを示す説明図である。なお、指示部５２は、予め、切り換え判定部５１から、ユーザがテレビ番組を視聴しておらず、かつ、外気の湿度が低いという判定結果を取得していたとする。
【００３７】
図４に示すように、換気処理では、指示部５２は、まず、電源７０からＬＥＤバックライト３０への給電を開始するように、電源制御部５０ｉに指示する。電源制御部５０ｉは、指示部５２の指示に従って、電源７０からＬＥＤバックライト３０への給電を開始（ＬＥＤバックライト３０の電源をオン）する（Ｓ１：電源オン）。
【００３８】
ここで、ユーザがテレビを視聴することを終了した直後、筐体６０内の気温は、浴室外の気温よりも高い。そのため、ユーザがテレビを視聴することを終了してからしばらくの間、指示部５２が換気処理を行わずとも、筐体６０内は換気されると考えられる。そこで、ユーザがテレビ番組を視聴することを終了した時点から、所定の時間が経過した後で、指示部５２は、換気処理を開始してもよい。
【００３９】
電源７０がＬＥＤバックライト３０に給電している間、ＬＥＤバックライト３０等から発せられる熱によって、筐体６０内の気温は上昇する。すると、液晶モジュール２０や回路基板５０に吸着されていた水分が、筐体６０内の空気中に水蒸気として放出される。また、筐体６０内の空気が膨張する。そのため、水蒸気を多く含んだ筐体６０内の空気は、通気部８０を通過して、浴室外に排出される（Ｓ２：排気）。排出された空気は、浴室外の空間中へ直ちに拡散する。
【００４０】
電源制御部５０ｉが電源７０からＬＥＤバックライト３０への給電を開始してから所定時間が経過した後、指示部５２は、電源７０からＬＥＤバックライト３０への給電を停止するように、電源制御部５０ｉに指示する。電源制御部５０ｉは、指示部５２の指示に従って、電源７０からＬＥＤバックライト３０への給電を停止（ＬＥＤバックライト３０の電源をオフ）する（Ｓ３：電源オフ）。
【００４１】
電源制御部５０ｉが電源７０からＬＥＤバックライト３０への給電を停止した後、筐体６０内の気温は（浴室外の気温まで）低下してゆく。すると、筐体６０内の空気が収縮するので、外気が、通気部８０を通過して、筐体６０内に流入する（Ｓ４：吸気）。ここで、ステップＳ４において筐体６０内に流入する外気の湿度は低いので、ステップＳ４が終了した時点における筐体６０内の湿度は、概ね、ステップＳ１が終了した時点における筐体６０内の湿度よりも低くなる。なお、ステップＳ４が終了した時点において、筐体６０内の空気中に含まれていた水蒸気の一部は、液晶モジュール２０や回路基板５０などに吸着される。残りの水蒸気は、筐体６０内の空気中に残留する。
【００４２】
ステップＳ４が終了した後、換気処理は、ステップＳ１に戻る。指示部５２は、ステップＳ４の処理を実行してから所定時間が経過した後、ステップＳ１の処理を再び実行する。指示部５２が、上述したステップＳ１からステップＳ４までを繰り返し実行することによって、筐体６０内の湿度は、最終的に、外気と同じ湿度まで低下する。
【００４３】
以上のように、指示部５２は、換気処理を実行することによって、筐体６０内の湿度を低下させることができる。これにより、湿気を原因とする酸化または硫化などの化学変化によって、筐体６０内の部材が経年劣化する速度が低下する。それゆえ、浴室用テレビ１の信頼性が向上する。
【００４４】
（変形例）
本実施形態では、指示部５２は、一定の時間ごとに、電源７０からＬＥＤバックライト３０への給電・非給電を切り換えた。一方、本変形例に係る指示部５２は、換気処理を開始した後、温度センサ（図示せず）から、筐体６０内の気温情報を取得する。そして、筐体６０内の気温の変化量ΔＴが０になったとき、電源７０からＬＥＤバックライト３０への給電・非給電を切り換える（ように、電源制御部５０ｉに指示する）。
【００４５】
図５は、本変形例に係る指示部５２が、換気処理において、電源７０からＬＥＤバックライト３０への給電・非給電を切り換えるタイミングを説明する図である。
【００４６】
図５に示すように、指示部５２の指示に従って、電源制御部５０ｉが電源７０からＬＥＤバックライト３０への給電を開始した後（換気処理のステップＳ１）、ＬＥＤバックライト３０等から発せられる熱によって、筐体６０内の気温は上昇してゆく。しかしながら、筐体６０内の空気から浴室外へ放出されてゆく熱量と、ＬＥＤバックライト３０等から筐体６０内の空気に供給される熱量とが一致した時点で、筐体６０内の気温の変化量ΔＴは０になる。この時点において、指示部５２は、電源７０をオフに切り換えるように、電源制御部５０ｉに指示する。
【００４７】
また、指示部５２の指示に従って、電源制御部５０ｉが電源７０をオフした後（換気処理のステップＳ３）、筐体６０内から浴室外へ熱が放出されることによって、筐体６０内の気温は低下してゆく。筐体６０内の気温と浴室外の気温とが近付くにつれて、筐体６０内の気温の変化量ΔＴは０に漸近する。筐体６０内の気温の変化量ΔＴがほぼ０となった時点において、指示部５２は、電源７０からＬＥＤバックライト３０への給電を開始するように、電源制御部５０ｉに指示する。
【００４８】
なお、前述したように、ユーザがテレビを視聴することを終了した直後、筐体６０内の気温は、浴室外の気温よりも高く、徐々に浴室外の気温まで低下してゆく。そこで、指示部５２は、筐体６０内の気温の変化量ΔＴが０（すなわち、筐体６０内の気温が浴室外の気温に等しい）になったとき、換気処理を開始してもよい。
【００４９】
〔実施形態２〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。
【００５０】
前記実施形態１では、筐体６０の側面に、１つの通気部８０が設けられている構成を説明した。本実施形態では、筐体６０の側面に、２つの通気部８０Ａおよび８０Ｂが設けられている構成を説明する。本実施形態では、一方の通気部８０Ａまたは８０Ｂから筐体６０内に外気が流入し、他方の通気部８０Ｂまたは８０Ａから浴室外へ筐体６０内の空気が流出する。このような対流が発生することによって、筐体６０内の換気効率が向上する。
【００５１】
（浴室用テレビジョン受像機２の構成）
図６は、本実施形態に係る浴室用テレビジョン受像機２（表示装置）（以下では、浴室用テレビ２と略称する）の構成を示す概略図であり、浴室用テレビ２が備えた筐体６０内における空気の流れを示す図である。図６に示すように、浴室用テレビ２の筐体６０の側面には、上下方向に離間した２つの通気部８０Ａおよび８０Ｂが設けられている。通気部８０Ａおよび８０Ｂは、どちらも、透湿防水膜８０ｉによって覆われている。なお、浴室用テレビ２は、２つの通気部８０Ａおよび８０Ｂを備えていること以外、前記実施形態１に係る浴室用テレビ１と同じ構成を有する。
【００５２】
図６に示すように、ＬＥＤバックライト３０の近傍に存在する空気は、発光しているＬＥＤバックライト３０から発生する熱に加熱されることによって膨張するため、加熱を受けていない周囲の空気に比べて軽くなる。また、部品に吸着していた水分が加熱を受けた空気に吸収されることで、周囲の加熱を受けていない乾燥した空気よりも軽くなり（分子量：Ｈ２Ｏ＝１８、Ｎ２＝２８、Ｏ２＝３２）、筐体６０内を上昇する。
【００５３】
筐体６０内を上昇した空気は、筐体６０の上面近傍に位置する通気部８０Ｂを通過して、筐体６０内から浴室外へ排出される。そして、通気部８０Ｂから排出された空気の代わりに、筐体６０の底面近傍に位置する通気部８０Ａから新たに外気が流入する。図６に示すように、ＬＥＤバックライト３０も、（液晶モジュール２０内のできるだけ下側に配置されていることによって）筐体６０の底面近傍に位置しているので、通気部８０Ａから流入した外気は、ＬＥＤバックライト３０によって効率的に加熱される。
【００５４】
以上のように、浴室用テレビ２では、筐体６０内と浴室外との間で空気が対流することによって、筐体６０内の換気が促進される。
【００５５】
〔実施形態３〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。
【００５６】
本実施形態では、換気用ファン１００（送風機）を用いて、筐体６０内を強制的に換気する構成を説明する。前記実施形態２に係る浴室用テレビ２が、本実施形態に係る換気用ファン１００をさらに備えていることによって、筐体６０内の換気効率がさらに向上する。
【００５７】
（浴室用テレビジョン受像機２ａの構成）
図７は、本実施形態に係る浴室用テレビジョン受像機２ａ（表示装置）（以下では、浴室用テレビ２ａと略称する）の構成を示す概略図であり、浴室用テレビ２ａが備えた筐体６０内における空気の流れを示す図である。図７に示すように、浴室用テレビ２ａは、前記実施形態２に係る浴室用テレビ２の構成に加えて、換気用ファン１００をさらに備えている。換気用ファン１００は、筐体６０内を強制的に換気するために使用される。
【００５８】
図７に示すように、換気用ファン１００は、通気部８０Ｂの近傍に配置されている。ユーザがテレビ番組を視聴中でなく、かつ、外気の湿度が低いと切り換え判定部５１が判定した場合、換気制御部５０ｉｉは、換気用ファン１００を動作させる。換気用ファン１００は、筐体６０内の空気を集めて圧縮し、吐出口１００Ａから、通気部８０Ｂに向けて、集めた空気を圧送する。その結果、筐体６０内の空気が、通気部８０Ｂを通過して強制的に排出されるので、筐体６０内の空気の圧力が低下する。すると、通気部８０Ａから外気が流入する。これにより、ＬＥＤバックライト３０への給電・非給電を繰り返す換気処理の間、換気用ファン１００によって圧送された空気が通気部８０Ｂから流出するので、筐体６０内の換気を促進することができる。
【００５９】
以上のように、換気用ファン１００が、筐体６０内を強制的に換気するので、筐体６０内の換気が促進される。なお、換気制御部５０ｉｉは、外気の湿度が低い場合であれば、ユーザがテレビ番組を視聴中である場合であっても、換気用ファン１００を動作させてもよい。
【００６０】
なお、前記実施形態１に係る浴室用テレビ１（図１参照）が換気用ファン１００を備えた構成も、本発明に含まれる。ただし、浴室用テレビ１では、筐体６０内と浴室外とを接続する空気の通路は、１つの通気部８０のみである。そのため、この構成では、電源７０がＬＥＤバックライト３０に給電しておらず、外気が筐体６０内に流入している間（図４に示す換気処理のステップＳ３〜Ｓ４）、換気制御部５０ｉｉは、換気用ファン１００の動作を停止させることが望ましい。ステップＳ３〜Ｓ４の間、換気用ファン１００が動作していた場合、吐出口１００Ａから通気部８０Ｂに向かう空気が、浴室外から筐体６０内に外気が流入することを妨害する可能性がある。
【００６１】
〔実施形態４〕
本発明の他の実施形態について、図８の（ａ）（ｂ）に基づいて説明すれば、以下のとおりである。なお、説明の便宜上、前記実施形態にて説明した部材と同じ機能を有する部材については、同じ符号を付記し、その説明を省略する。
【００６２】
本実施形態では、前記実施形態１〜３で説明した浴室用テレビ１、２、２ａが、浴室外の湿度が高いか低いかに応じて開閉する感湿シャッタ１１０（遮断部）をさらに備えた構成を説明する。
【００６３】
（感湿シャッタ１１０の構成）
図８の（ａ）（ｂ）を用いて、本実施形態に係る感湿シャッタ１１０の構成を説明する。図８の（ａ）は、浴室用テレビ１、２、２ａの筐体６０に設けられた感湿シャッタ１１０の構成を示す概略図であり、感湿シャッタ１１０が開いているときの空気の流れを示す図である。図８の（ｂ）は、浴室用テレビ１、２、２ａの筐体６０に設けられた感湿シャッタ１１０の構成を示す概略図であり、感湿シャッタ１１０が閉じているときの空気の流れを示す図である。
【００６４】
感湿シャッタ１１０は、換気制御部５０ｉｉによって制御される。図８の（ａ）に示すように、外気の湿度が低い場合、換気制御部５０ｉｉは、感湿シャッタ１１０を開く。これにより、湿度の低い外気が、通気部８０を通過して、筐体６０内に流入する。ここで、換気処理が実行されている間、外気の湿度は筐体６０内の湿度よりも低い。従って、ＬＥＤバックライト３０への給電・非給電を繰り返す換気処理の間、感湿シャッタ１１０は開いているので、浴室外から筐体６０内へ向かう空気、および、筐体６０内から浴室外へ向かう空気は、通気部８０を通過することができる。
【００６５】
一方、図８の（ｂ）に示すように、外気の湿度が高い場合、換気制御部５０ｉｉは、感湿シャッタ１１０を閉じる。これにより、湿度の高い外気が、通気部８０を通過して、筐体６０内に流入することが阻止される。なお、外気の湿度と、筐体内の湿度とが同じである場合、換気制御部５０ｉｉは、感湿シャッタ１１０を開いてもよいし、閉じてもよい。
【００６６】
以上より、外気の湿度が筐体６０内の湿度よりも低い場合には、感湿シャッタ１１０を開き、ＬＥＤバックライト３０への給電・非給電を繰り返す換気処理を行って、筐体６０内の湿度を下げるとともに、外気の湿度が筐体６０内の湿度よりも高い場合には、感湿シャッタ１１０を閉じて、外気が流入して筐体６０内の湿度が上がるの阻止することができる。
【００６７】
〔ソフトウェアによる実現例〕
浴室用テレビジョン受像機１、２、２ａの制御ブロック（特に切り換え判定部５１および指示部５２）は、集積回路（ＩＣチップ）等に形成された論理回路（ハードウェア）によって実現してもよいし、ＣＰＵ（Central Processing Unit）を用いてソフトウェアによって実現してもよい。
【００６８】
後者の場合、浴室用テレビジョン受像機１、２、２ａは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６９】
〔まとめ〕
本発明の態様１に係る表示装置（浴室用テレビジョン受像機１、２、２ａ）は、筐体（６０）内に光源（ＬＥＤバックライト３０）を備えた表示装置であって、上記筐体内と上記筐体外とを接続する空気の通路である通気部（８０）と、上記光源が映像を表示するために使用されておらず、かつ、上記筐体外の湿度が上記筐体内の湿度よりも低い場合、上記光源を発光させることと、上記光源を消灯させることとを交互に実施する光源制御部（指示部５２）と、を備えている。
【００７０】
上記の構成によれば、光源が映像を表示するために使用されておらず、かつ、筐体外の湿度が筐体内の湿度よりも低い場合、光源を発光させること、および、光源を消灯することが交互に実施される。
【００７１】
光源は、発光している間、熱を放出する。この熱により、筐体内の気温は上昇し、筐体内の空気は膨張する。そのため、筐体内の空気は、通気部を通過して、筐体外に排出される。光源が、発光した後に消灯されたとき、筐体内の気温は、筐体外の気温よりも高くなっている。その後、筐体内の気温は徐々に低下し、筐体内の空気は収縮するので、湿度の低い筐体外の空気が、通気部を通過して、筐体内に流入する。これにより、筐体内の湿度が低下する。
【００７２】
従って、上記の構成では、光源を発光させることと、光源を消灯させることとが交互に実施されることによって、筐体内の湿度を、筐体外の湿度まで、徐々に低下させることができる。
【００７３】
本発明の態様２に係る表示装置は、上記態様１において、上記光源制御部は、所定時間が経過するごとに、上記光源を発光させることと、消灯させることとを切り換えてもよい。
【００７４】
上記の構成によれば、所定時間の間に、筐体内の空気が十分に膨張または収縮するように、所定時間を適切に設定することによって、筐体内を十分に換気することができる。
【００７５】
本発明の態様３に係る表示装置は、上記態様１において、上記光源制御部は、上記筐体内の気温が一定になるごとに、上記光源を発光させることと、消灯させることとを切り換えてもよい。
【００７６】
上記の構成によれば、発光している光源が筐体内の空気に与える熱量と、筐体内の空気から筐体外に放出されてゆく熱量とが一致して、筐体内の気温が上昇しなくなった場合に、光源が消灯される。すなわち、光源から発生する熱が筐体内の気温を上昇させるために役立っている間のみ、光源を発光させ、光源から発生する熱が筐体内の気温を上昇させるために役立たなくなれば、光源を消灯する。そのため、光源を発光させるために消費される電力を低減することができる。
【００７７】
また、上記の構成によれば、光源が消灯された後、筐体内の気温が筐体外の温度まで低下し、筐体内から筐体外へ、またはその逆へ、空気がほとんど移動しなくなった場合に、光源が発光させられる。光源が発光することによって、筐体内の気温が筐体外の気温よりも高くなるので、筐体内から筐体外へ、空気が再び移動するようになる。従って、筐体内と筐体外との間で空気が移動していない期間が短くなる、換言すれば、筐体内と筐体外との間で空気が移動している期間が長くなるので、筐体内の換気効率が向上する。
【００７８】
本発明の態様４に係る表示装置は、上記態様１から３のいずれかにおいて、複数の上記通気部を備えていてもよい。
【００７９】
上記の構成によれば、一方の通気部から筐体内に筐体外の空気が流入し、他方の通気部から筐体外へ筐体内の空気が流出する。このような対流が発生することによって、筐体内の換気効率が向上する。
【００８０】
本発明の態様５に係る表示装置は、上記態様１から４のいずれかにおいて、上記筐体内の空気を上記通気部に向けて圧送する送風機（換気用ファン１００）をさらに備えていてもよい。
【００８１】
上記の構成によれば、送風機によって圧送された空気が、通気部から流出するので、筐体内の換気を促進することができる。
【００８２】
本発明の態様６に係る表示装置は、上記態様１から５のいずれかにおいて、上記筐体外の湿度が上記筐体内の湿度よりも高い場合、上記通気部を通過しようとする空気の流れを遮断する遮断部（感湿シャッタ１１０）をさらに備えていてもよい。
【００８３】
上記の構成によれば、筐体外の湿度が筐体内の湿度よりも高い場合、筐体外の空気は、通気部を通過して、筐体内に流入することができない。そのため、筐体内の湿度が上昇することを防止することができる。
【００８４】
本発明の各態様に係る表示装置は、コンピュータによって実現してもよく、この場合には、コンピュータを上記表示装置が備える各部（ソフトウェア要素に限る）として動作させることにより上記テレビジョン受像機をコンピュータにて実現させる表示装置の制御プログラム、およびそれを記録したコンピュータ読み取り可能な記録媒体も、本発明の範疇に入る。
【００８５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８６】
本発明は、浴室内で使用されるテレビジョン受像機等の表示装置に利用することができる。
【符号の説明】
【００８７】
１、２、２ａ  浴室用テレビジョン受像機（表示装置）
３０      ＬＥＤバックライト（光源）
５０ｉ    電源制御部（光源制御部）
５２      指示部（光源制御部）
６０      筐体
８０、８０Ａ、８０Ｂ      通気部
１００    換気用ファン（送風機）
１１０    感湿シャッタ（遮断部）
【図１】
2016080988.tif 000003
【図２】
2016080988.tif 000004
【図３】
2016080988.tif 000005
【図４】
2016080988.tif 000006
【図５】
2016080988.tif 000007
【図６】
2016080988.tif 000008
【図７】
2016080988.tif 000009
【図８】
2016080988.tif 000010